(57)【特許請求の範囲】
【請求項１】
ゴルフクラブヘッドのフェース部のバック側に弾性体及び銘板が設けられているアイアン型のゴルフクラブヘッドにおいて、
前記弾性体は、前記フェース部のバック面及び前記銘板に固着し、
前記銘板は、前記フェース部のバック面及び前記弾性体に固着しており、
前記弾性体とゴルフクラブヘッドの底部との間に隙間があり、
前記弾性体は、トップ側の弾性体上部とソール側の弾性体下部とを有しており、
前記弾性体上部にはソール側に凹んだ凹部があり、
前記銘板は、ソール側の銘板下部とそれよりも上側の銘板上部とを有しており、
該銘板下部と該銘板上部との間に、該銘板下部が銘板上部よりも前記フェース部のバック面から離れて位置するように段状部（３３）が設けられており、
該銘板上部は、トウ・ヒール方向の中間部が銘板下部のトウ側部（３２ｔ）とヒール側部（３２ｈ）との間へ面一状に張り出した張出部（３５）を有しており、
該張出部（３５）は、トウ側、ヒール側及びソール側の縁部（３５a，３５ｂ，３５ｃ）を有しており、
前記段状部（３３）は、該張出部（３５）のトウ側、ヒール側及びソール側の縁部（３５a，３５ｂ，３５ｃ）に沿うように屈曲しており、
前記凹部と前記張出部は大きさおよび形状が合致していて、両者が嵌合していることを特徴とするゴルフクラブヘッド。
【請求項２】
請求項１において、
前記弾性体は、前記フェース部のバック面及び前記銘板のみに固着し、
前記銘板は、前記フェース部のバック面及び前記弾性体のみに固着していることを特徴とするゴルフクラブヘッド。
【請求項３】
請求項１又は２において、前記弾性体上部の後面に前記銘板下部の前面が固着されていることを特徴とするゴルフクラブヘッド。
【請求項４】
請求項３において、前記銘板上部の前面と、前記弾性体上部の前面及び弾性体下部の前面とは面一状であることを特徴とするゴルフクラブヘッド。
【請求項５】
請求項１ないし４のいずれか１項において、前記弾性体の前記フェース部側の面の少なくとも一部と、前記銘板の前記フェース部側の面の少なくとも一部とにわたるように設けられた両面テープによって、前記弾性体及び前記銘板が前記フェース部のバック面に固着されていることを特徴とするゴルフクラブヘッド。
【請求項６】
請求項１ないし５のいずれか１項において、前記弾性体はウレタン樹脂であることを特徴とするゴルフクラブヘッド。
【請求項７】
請求項１ないし６のいずれか１項において、前記弾性体のショアＤ硬度は３０以上、８０以下であることを特徴とするゴルフクラブヘッド。
【発明の詳細な説明】
【技術分野】
【０００１】
本発明は、アイアン型のゴルフクラブヘッドと、複数のゴルフクラブヘッドを備えたゴルフクラブヘッドセットに関するものである。
【背景技術】
【０００２】
アイアン型ゴルフクラブでボールをヒットしたときにゴルフクラブヘッドに生じる衝撃や振動を吸収するために、アイアン型ゴルフクラブヘッドにゴム等の粘弾性材料を付着させることがある。
【０００３】
特許文献１には、ボールをヒットするためのフェースプレート部と、ソール部と、シャフトを連結するためのホゼル部とを有するアイアン型のゴルフクラブヘッドであって、該フェースプレート部の背面に粘弾性体が付着されると共に、該粘弾性体に重なる銘板が設けられているゴルフクラブヘッドにおいて、該銘板は、該粘弾性体の周囲に張り出す張出部を有しており、該張出部が前記フェースプレート部の背面に付着されていることを特徴とするゴルフクラブヘッドが提案されている。
【０００４】
特許文献２には、衝撃面と、前記衝撃面の後の後壁と、前記後壁を少なくとも部分的に取り囲んでいる周囲荷重要素と、前記周囲荷重要素と合体している凹部分を有する弾性要素と、前記後壁と合体しているプリロードスペーサとを含み、前記プリロードスペーサの一部が前記凹部分に配置されており、前記弾性要素がプリロードスペーサを周囲荷重要素の一部に対して傾斜させているゴルフクラブヘッドが提案されている。
【０００５】
特許文献３には、フロントフェースと、該フロントフェースの基本部分を囲繞すると共に、その内にバックキャビティを画成する周囲重みと、前記バックキャビティの少なくとも一部内に配置されるインサートであって、第１の最大厚を有した下部と、前記第１の最大厚以下である第２の最大厚を有した上部とを備え、該上部の少なくとも一部の厚さが前記第１の最大厚未満であるインサートと、を備えるアイアンタイプのクラブヘッドが提案されている。
【０００６】
特許文献４には、衝撃面の背面に、厚さの異なる複数の領域を有するインサートが取り付けられたゴルフクラブヘッドが提案されている。
【０００７】
特許文献５には、衝撃面の背面側のキャビティにインサートが配置され、このインサートの周辺端部が撓むようになっており、キャビティの内周面に合わせてインサートの周辺端部が撓んで接触したゴルフクラブヘッドが提案されている。
【０００８】
特許文献６には、サイズ調整可能なメダリオン（medallion）が背面側に取り付けられたゴルフクラブヘッドが提案されている。
【先行技術文献】
【特許文献】
【０００９】
【特許文献１】特開２０１１−３０８３７号公報
【特許文献２】特開２０１０−１４８８５８号公報
【特許文献３】特開２００２−２２４２５５号公報
【特許文献４】米国特許第７８１９７５７号
【特許文献５】米国特許第８９２０２６１号
【特許文献６】米国特許公開第２０１５／００８７４３７号
【発明の概要】
【発明が解決しようとする課題】
【００１０】
本発明は、ゴルフクラブヘッドの製造時の弾性体及び銘板の取り扱いが容易で、生産性を向上させることができると共に、打感の良いゴルフクラブヘッド、及びそれを有したゴルフクラブヘッドセットを提供することを目的とする。
【課題を解決するための手段】
【００１１】
第１発明のゴルフクラブヘッドは、ゴルフクラブヘッドのフェース部のバック側に弾性体及び銘板が設けられているアイアン型のゴルフクラブヘッドにおいて、前記弾性体は、前記フェース部のバック面及び前記銘板に固着し、前記銘板は、前記フェース部のバック面及び前記弾性体に固着していることを特徴とするものである。
【００１２】
第１発明の一態様では、前記弾性体は、前記フェース部のバック面及び前記銘板のみに固着し、前記銘板は、前記フェース部のバック面及び前記弾性体のみに固着している。
【００１３】
第１発明の一態様では、前記弾性体とゴルフクラブヘッドの底部との間に隙間がある。
【００１４】
第１発明の一態様では、前記弾性体の上部に前記銘板が固着されている。
【００１５】
第１発明の一態様では、前記弾性体の前記フェース部側の面の少なくとも一部と、前記銘板の前記フェース部側の面の少なくとも一部とにわたるように設けられた両面テープによって、前記弾性体及び前記銘板が前記フェース部のバック面に固着されている。
【００１６】
第１発明の一態様では、前記弾性体はウレタン樹脂である。
【００１７】
第１発明の一態様では、前記弾性体のショアＤ硬度は３０以上、８０以下である。
【００１８】
第２発明のゴルフクラブヘッドセットは、少なくとも２つのゴルフクラブヘッドを有するゴルフクラブヘッドセットであって、各ゴルフクラブヘッドに配置される弾性体及び銘板を備え、前記弾性体と前記銘板とは固着されるものであり、少なくとも２つのゴルフクラブヘッドのうち、１つのヘッドに配置される弾性体と、もう一方のヘッドに配置される弾性体の大きさは同じであり、１つのヘッドに配置される銘板と、もう一方のヘッドに配置される銘板の大きさは異なることを特徴とするものである。
【００１９】
第２発明の一態様では、前記弾性体の上部に前記銘板が固着される。
【００２０】
第２発明の一態様では、前記銘板が固着される弾性体上部のトウ・ヒール方向の幅は、前記ゴルフクラブヘッドセットに設けられる銘板のうち、トウ・ヒール方向の幅が最も小さい銘板の寸法に合わせたものである。
【発明の効果】
【００２１】
本発明のゴルフクラブヘッドにあっては、フェース部のバック面に弾性体が設けられており、ボールをヒットしたときに生じた振動が弾性体によって吸収されるため、打感を向上させることができる。また、弾性体と銘板とが固着しており、弾性体と銘板とを一体にして取り扱うことができ、フェース部の背面に弾性体及び銘板を貼付する作業が容易となり、生産性を向上させることができる。
【００２２】
本発明のゴルフクラブヘッドセットにあっては、番手の異なるゴルフクラブヘッドに共通の弾性体を使用でき、生産性が良い。
【図面の簡単な説明】
【００２３】
【図１】実施の形態に係るアイアン型ゴルフクラブヘッドのバック側からの斜視図である。
【図２】図１のゴルフクラブヘッドの分解斜視図である。
【図３】図１のIII−III線に沿う断面図である。
【図４】（ａ）は銘板の背面図であり、（ｂ）は（ａ）のIVb−IVb線に沿う断面図であり、（ｃ）は（ａ）のIVc−IVc線に沿う断面図である。
【図５】（ａ）は弾性体の背面図であり、（ｂ）は（ａ）のVb−Vb線に沿う断面図であり、（ｃ）は（ａ）のVc−Vc線に沿う断面図である。
【図６】（ａ）は銘板及び弾性体を組み合わせた状態の背面図であり、（ｂ）は（ａ）のVIb−VIb線に沿う断面図である。
【図７】異なる番手で使用される銘板を示す図である。
【図８】（ａ）〜（ｃ）は銘板及び弾性体の別例を示す正面図である。
【発明を実施するための形態】
【００２４】
以下、図１〜図７を参照して実施の形態に係るアイアン型ゴルフクラブヘッドについて説明する。
【００２５】
このアイアン型のゴルフクラブヘッド１は、シャフトの先端に取り付けられるものであり、ヘッド本体１０と、このヘッド本体１０のフェースプレート部１１のフェース部１１ｂのバック面１１ａに固着された弾性体２０及び銘板３０とを備えている。図２の通り、銘板下部３２が弾性体上部２１にバック側から被さる。
【００２６】
ヘッド本体１０は、フェースプレート部１１と、ホゼル部１２と、ソール部１３とを有している。フェース部１１ｂのバック面１１ａ側にキャビティ部１４が設けられている。キャビティ部１４は、トウ側からヒール側にまで延在しており、ソール部１３と、トウ側凸部１５、トップ側凸部１６及びヒール側凸部１７とによって周囲が囲まれている。これらの凸部１５〜１７は、フェースプレート部１１の周縁からバック側に起立している。
【００２７】
フェース部１１ｂのバック面１１ａは、ソール部１３の近傍を除いて平坦面となっている。図３に示すように、フェースプレート部１１は、フェース部１１ｂと、ソール部１３に連なる底部１１ｃとを有した、略Ｌ字形の縦断面形状となっている。
【００２８】
ソール部１３のトウ側上面部１３ｔとヒール側上面部１３ｈのトウ・ヒール方向の中間部には谷部１３ａが設けられている。ソール部１３のキャビティ１４側の面には、バック側に凹陥するように穴部１３Ｈ（図３）が設けられている。
【００２９】
図３に示すように、本実施の形態では、銘板３０とトップ側凸部１６が接触するように配置されている。一方、弾性体２０と底部１１ｃとの間には隙間１１Ｖがある。これは、隙間１１Ｖが生じるように、銘板３０及び／又は弾性体２０の寸法を設定しているためである。隙間１１Ｖを生じさせる事で、ヘッドの大きさの異なる番手間においても、同じ大きさの弾性体を使用し易くなる。また製造誤差により大きい寸法の銘板３０及び／又は弾性体２０が発生したとしても、隙間１１Ｖがある事で、問題なくヘッドに固着する事ができる。隙間１１Ｖは銘板３０とトップ側凸部１６との間に設けてもよく、弾性体２０と底部１１ｃとの間、及び銘板３０とトップ側凸部１６との間の両方に設けてもよい。
【００３０】
銘板３０は、フェースプレート部１１のフェース部１１ｂのバック面１１ａに固着された状態において、トウ側凸部１５からヒール側凸部１７にまで広がるトウ・ヒール方向の大きさを有した薄板状部材である。図４に明示される通り、銘板３０は、ソール側（下側）の銘板下部３２と、それよりもトップ側（上側）の銘板上部３１とを有している。銘板上部３１と銘板下部３２との間には、トウ・ヒール方向に延在する段状部３３が設けられており、銘板３０は段差のついた形状となっている。段状部３３により、銘板下部３２は、銘板上部３１よりも、フェース部１１ｂのバック面１１ａから離れて位置する。
【００３１】
銘板３０のトウ側、トップ側及びヒール側は、トウ側凸部１５、トップ側凸部１６及びヒール側凸部１７に沿う形状となっている。銘板３０の下辺部の、トウ・ヒール方向の中間付近に、下方に突出する銘板凸部３４が設けられている。
【００３２】
銘板上部３１のフェース部１１ｂ側の銘板上部前面３１ａは平坦面となっている。銘板上部前面３１ａがフェース部１１ｂのバック面１１ａに固着される。銘板上部３１の銘板上部前面３１ａと反対側の銘板上部後面３１ｂには、図示は省略するが、種々の文字、図形、記号などよりなる表示を表わすように凹凸模様が設けられている。凹凸模様の代わりに、又は凹凸模様と共に、印刷等によって表示が設けられてもよい。
【００３３】
銘板上部３１は、トウ・ヒール方向の中間部が銘板下部３２のトウ側部３２ｔとヒール側部３２ｈとの間へ面一状に張り出した張出部３５を有している。張出部３５を設けたことにより、銘板上部後面３１ｂが広くなり、文字等の表示が形成し易くなっている。
【００３４】
段状部３３は、張出部３５のトウ側、ヒール側及びソール側の縁部３５ａ，３５ｂ，３５ｃに沿うように屈曲して延在している。
【００３５】
銘板下部３２のフェース部１１ｂ側の銘板下部前面３２ａは平坦面となっている。この銘板下部前面３２ａが、後述する弾性体上部２１の上部におけるフェース部１１ｂと反対側の弾性体下部後面２１ｂと固着される。符号３２ｂは、銘板下部３２の銘板下部前面３２ａと反対側の銘板下部後面を示している。この実施の形態では、銘板３０は、フェース部１１ｂのバック面１１ａ及び弾性体２０のみに固着している。ここでいう固着とは、両面テープ、粘着剤、接着剤などの固着手段によって固着されている状態のことである。
【００３６】
銘板下部３２のトウ側部３２ｔとヒール側部３２ｈの下辺は同一直線上に位置している。銘板下部３２のうちこれらの間の中間部３２ｍの下辺は、トウ側部３２ｔとヒール側部３２ｈとを結ぶ直線よりも幅Ｘだけ、下方に位置している。幅Ｘは、例えば、０．５〜３ｍｍである。これにより銘板凸部３４が形成されている。銘板凸部３４は張出部３５の下方に位置している。
【００３７】
銘板３０は、例えばアルミニウムやステンレス等の金属（合金を包含する。）により作製される。銘板上部３１及び銘板下部３２の厚さｔ１は全体としてほぼ同一となっており、０．３ｍｍ以上であり、１ｍｍ以下であることが好ましい。段状部３３は、プレス加工等によって形成してもよく、銘板３０を電鋳加工によって形成する場合には、この電鋳加工の際に形成されてもよい。
【００３８】
銘板３０のトウ・ヒール方向の幅Ｌ１は、４０ｍｍ以上であり、８０ｍｍ以下であることが好ましい。また、銘板３０の上下方向の幅Ｌ２は、１０ｍｍ以上であり、３０ｍｍ以下であることが好ましい。
【００３９】
銘板下部３２のトウ側部３２ｔ及びヒール側部３２ｈの上下幅Ｈ１，Ｈ２（銘板下部後面３２ｂに沿う上下幅）は、２ｍｍ以上であり、１０ｍｍ以下であることが好ましい。銘板下部３２の中間部３２ｍの上下幅Ｈ３は、１ｍｍ以上であり、５ｍｍ以下であることが好ましい。
【００４０】
張出部３５のソール側縁部３５ｃのトウ・ヒール方向の長さＷ１は５ｍｍ以上であり、３５ｍｍ以下であることが好ましい。張出部３５のトウ側縁部３５ａの上端と銘板３０のトウ側端部３０ｔとのトウ・ヒール方向の距離Ｗ２は１０ｍｍ以上であり、３５ｍｍ以下であることが好ましい。張出部３５のヒール側縁部３５ｂの上端と銘板３０のヒール側端部３０ｈとのトウ・ヒール方向の距離Ｗ３は１０ｍｍ以上であり、３５ｍｍ以下であることが好ましい。トウ側縁部３５ａの上端とヒール側縁部３５ｂの上端とのトウ・ヒール方向の距離Ｗ４は８ｍｍ以上であり、３８ｍｍ以下であることが好ましい。
【００４１】
なお、銘板３０のサイズは、クラブの番手によって異なる。図７は、７番アイアン用の銘板３０−７と、９番アイアン用の銘板３０−９とを示す。クラブの番手が小さい程、すなわちショートアイアンになる程、銘板３０は、上下方向の幅Ｌ２が大きくなり、トウ・ヒール方向の幅Ｌ１が小さくなる。９番アイアン用銘板３０−９は、７番アイアン用銘板３０−７よりも、上下方向幅Ｌ２がΔＬ２だけ大きく、トウ・ヒール方向幅Ｌ１がΔＬ１だけ小さいものとなっている。
【００４２】
弾性体２０は、図５に明示の通り、フェース部１１ｂのバック面１１ａのトウ側からヒール側まで広がる大きさを有している。弾性体２０は、トップ側（上側）の弾性体上部２１と、ソール側（下側）の弾性体下部２２とを有している。弾性体上部２１と弾性体下部２２との間には、トウ・ヒール方向にわたって段差部２３が設けられており、弾性体２０は段差のついた形状となっている。段差部２３は、次に詳述する通り、弾性体上部２１側から弾性体下部２２側へ立ち上がるように形成されている。
【００４３】
弾性体上部２１のフェース部１１ｂ側の弾性体上部前面２１ａ、及び弾性体下部２２のフェース部１１ｂ側の弾性体下部前面２２ａは面一状の平坦面となっており、この弾性体上部前面２１ａ及び弾性体下部前面２２ａがフェース部１１ｂのバック面１１ａに固着される。
【００４４】
弾性体上部２１のフェース部１１ｂと反対側の弾性体上部後面２１ｂは平坦面となっている。上述したように、銘板下部３２が弾性体上部２１に被さり、この弾性体上部後面２１ｂが、銘板下部前面３２ａに両面テープ、粘着剤、接着剤などの固着手段によって固着され、銘板３０と弾性体２０とが一体化されるようになっている。この実施の形態では、弾性体２０は、フェース部１１ｂのバック面１１ａ及び銘板３０のみに固着している。ここでいう固着とは、両面テープ、粘着剤、接着剤などの固着手段によって固着されている状態のことである。
【００４５】
弾性体上部２１のトウ・ヒール方向の中間部には、下側（ソール側）に凹んだ凹部２４が設けられている。凹部２４の大きさ及び形状は銘板３０の張出部３５に合致させたものとなっており、銘板下部３２を弾性体上部２１に重ねた際に、この凹部２４に張出部３５が嵌合するようになっている。
【００４６】
弾性体上部２１は、弾性体下部２２よりも薄くなっており、厚さの変わる箇所が段差部２３となっている。段差部２３は、それぞれ直線状に延在するトウ側段差部２３ｔ、ヒール側段差部２３ｈ及びそれらの間の中間段差部２３ｍを有する。トウ側段差部２３ｔ及びヒール側段差部２３ｈは同一直線上に位置しており、中間段差部２３ｍは、これらと平行に凹部２４に沿って延在している。中間段差部２３ｍは、トウ側段差部２３ｔとヒール側段差部２３ｈとを結ぶ直線よりも若干、例えば０．５〜３ｍｍソール側に位置している。銘板凸部３４はこの中間段差部２３ｍに係合する。
【００４７】
弾性体下部２２のトウ・ヒール方向の中間部に、フェース部１１ｂのバック面１１ａから遠ざかる方向に盛り上った厚肉部２５が設けられている。厚肉部２５は、頂部２５ｃを挟んだ上側及び下側に斜面２５ａ、２５ｂを有している。すなわち、厚肉部２５は、頂部２５ｃにおいて最も厚みが大きくなっており、トップ側（上側）及びソール側（下側）にかけて厚みが徐々に小さくなっている。厚肉部２５のトウ側及びヒール側もそれぞれ斜面２５ｄ，２５ｅとなっている。斜面２５ｄの厚みはトウ側に向って徐々に小さくなっており、斜面２５ｅの厚みはヒール側に向って徐々に小さくなっている。
【００４８】
弾性体上部２１の厚さｔ２は、０．３ｍｍ以上であり、５ｍｍ以下であることが好ましい。厚肉部２５以外の弾性体下部２２の厚さｔ３は、０．５ｍｍ以上であり、６ｍｍ以下であることが好ましい。厚肉部２５の頂部２５ｃ部分における弾性体下部２２の厚さｔ４は、１ｍｍ以上であり、１０ｍｍ以下であることが好ましい。
【００４９】
弾性体上部２１のトウ側の側辺部２１ｔは、弾性体下部２２のトウ側の側辺部２２ｔよりも幅Ｙだけトウ側に突出している。幅Ｙは、例えば１〜１０ｍｍである。
【００５０】
弾性体２０のトウ・ヒール方向の最大幅Ｌ３は４０ｍｍ以上であり、８０ｍｍ以下であることが好ましい。また、弾性体２０の上下方向（トップ・ソール方向）の最大幅Ｌ４は、１０ｍｍ以上であり、３５ｍｍ以下であることが好ましい。
【００５１】
弾性体２０の材料としては、ゴム又は樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。特に、ウレタン樹脂が好適である。弾性体２０の材料のショアＤ硬度は３０以上、特に４０以上が好ましく、８０以下、特に７０以下が好ましい。
【００５２】
ヘッド本体１０のバック面１１ｂに銘板３０及び弾性体２０を固着するにあたっては、まず、銘板下部３２を弾性体上部２１に対し、弾性体上部２１がフェース部１１ｂ側となるように、かつ張出部３５が凹部２４に係合するように重ね合わせ、銘板下部３２の銘板下部前面３２ａと、弾性体上部２１の後弾性体下部後面２１ｂとを両面テープ、粘着剤又は接着剤などによって固着する。これにより、弾性体２０と銘板３０とを一体にして取り扱うことができる。
【００５３】
上述したように、銘板３０はクラブの番手によってサイズが異なるが、共通の弾性体を使用できるように、弾性体上部２１のトウ・ヒール方向の幅を、銘板下部３２のトウ・ヒール方向の幅が最も短い番手の銘板３０に合わせたものとなっている。
【００５４】
弾性体２０と銘板３０とを固着することで、銘板上部３１の銘板上部前面３１ａと、弾性体２０の弾性体上部前面２１ａ及び弾性体下部前面２２ａとは面一状になる。そこで、これらの弾性体上部前面２１ａ及び弾性体下部前面２２ａと、フェース部１１ｂのバック面１１ａとを両面テープ、粘着剤又は接着剤などの固着手段によって固着する。両面テープを使用する場合は、銘板３０及び弾性体２０にわたる１枚の両面テープで固着することができる。
【００５５】
このようにして銘板３０及び弾性体２０が固着されたゴルフクラブヘッド１のホゼル部１２にシャフトを差し込み、接着剤によって固定することにより、ゴルフクラブ（アイアン）とされる。
【００５６】
このアイアンでボールをヒットしたときに生じた振動は、弾性体２０によって吸収されるため、打感を向上させることができる。また、弾性体２０のトウ・ヒール方向の中間部に厚肉部２５が設けられているため、振動を効果的に吸収することができる。
【００５７】
この実施の形態では、弾性体上部２１と銘板下部３２とを重ね合わせて固着し、弾性体２０と銘板３０とを一体にして取り扱うため、フェース部１１ｂのバック面１１ａに弾性体２０及び銘板３０を固着する作業が容易となり、生産性が向上する。
【００５８】
また、弾性体２０は、異なる番手間で共通使用するため、コストを抑えることができる。
【００５９】
このゴルフクラブヘッドのセットは、例えば２番〜９番アイアン及びＰＷ（ピッチングウェッジ）のゴルフクラブヘッドのセットとして構成される。ただし、一部、例えば２番〜４番アイアンのゴルフクラブヘッドはセットから外されてもよい。また、ＰＷ以外のウェッジのゴルフクラブヘッドが追加されてもよい。
【００６０】
上記実施の形態は本発明の一例であり、本発明は図示以外の態様とされてもよい。例えば、上記実施の形態では図６（ｂ）に示すように、弾性体上部２１と銘板下部３２とを重ね合わせた際に、銘板下部後面３２ｂと弾性体下部後面２２ｂとが面一状になっているが、図８の弾性体２０Ａ，２０Ｂ，２０Ｃ及び銘板３０Ａ，３０Ｂ，３０Ｃのようにこれとは異なっていてもよい。例えば、図８（ａ）に示すように、段差８０があってもよい。段差８０は、図８（ａ）では銘板下部後面３２ｂが弾性体下部後面２２ｂよりもフェース部１１ｂ側となるように形成されているが、これとは逆に弾性体下部後面２２ｂが銘板下部後面３２ｂよりもフェース部１１ｂ側となるように形成されてもよい。
【００６１】
また、図８（ｂ）に示すように、弾性体２０Ｂを、弾性体上部２１と弾性体下部２２とが同じ厚さとなるようにし、段差部２３を省略した構成としてもよい。
【００６２】
また、図８（ｃ）に示すように、銘板３０Ｃの段状部３３を省略して銘板３０Ｃ全体が平坦になるようにし、銘板下部後面３２ｂに対し、弾性体上部２１の弾性体上部前面２１ａが固着されるようにしてもよい。
【符号の説明】
【００６３】
１  ゴルフクラブヘッド
１０  ヘッド本体
１１  フェースプレート部
１２  ホゼル部
１３  ソール部
１４  キャビティ部
１５  トウ側凸部
１６  トップ側凸部
１７  ヒール側凸部
２０，２０Ａ〜２０Ｃ  弾性体
２３  段差部
３０，３０Ａ〜３０Ｃ  銘板
【図１】
0006657604.tif 000002
【図２】
0006657604.tif 000003
【図３】
0006657604.tif 000004
【図４】
0006657604.tif 000005
【図５】
0006657604.tif 000006
【図６】
0006657604.tif 000007
【図７】
0006657604.tif 000008
【図８】
0006657604.tif 000009